(57)【要約】【課題】  旗を位置ずれや脱落しないように止め付けることができ、構造及び着脱操作が簡単で、繰り返し使用可能な旗の止め具を提供すること。【解決手段】  半円部１，２の一側縁を回動自在に接合し、他側縁から挟持板３，４を延出し、挟持板３，４を重合して係合する係合具を設け、挟持板３，４に透孔１２，１３，１６を形成し、挟持板３に固定片５を起倒自在に設け、固定片５を挟持板３に係止する係止具を設け、固定片５に透孔１２，１３，１６へ挿通される先細ピン１９を形成する。【選択図】          図１
2005077854.tif 000002
【特許請求の範囲】
【請求項１】
軸線を含む平面で円筒体を２分割した形状の一対の半円部を設け、これら半円部の一側縁どうしを回動自在に接合し、前記各半円部の他側縁から外方へ向かってそれぞれ挟持板を延出し、前記挟持板には挟持板どうしを重合した状態で係合する着脱可能な係合具を設け、各挟持板の重合状態において合致する位置にそれぞれ透孔を形成し、一方の挟持板の外面に固定片を起倒自在に設けると共に、該固定片を前記一方の挟持板の外面に重ねた状態で係止する接離可能な係止具を設け、前記固定片の内面に、前記一方の挟持板及び他方の挟持板の透孔へ抜挿自在に挿入される先細ピンを突出したことを特徴とする旗の止め具。
【請求項２】
前記固定片を前記一方の挟持板の先端縁に取り付けた請求項１に記載の旗の止め具。
【請求項３】
少なくともいずれかの挟持板の内面に、旗の側縁の位置を示す位置決め線を形成した請求項１に記載の旗の止め具。
【発明の詳細な説明】
【技術分野】
【０００１】
本発明は、幟旗等を竿に固定するのに好適な旗の止め具に関する。
【背景技術】
【０００２】
一般的に幟旗を竿へ固定するには、帯布を折り返して環状に形成した複数の乳を、幟旗本体の上縁及び一側縁に適宜間隔毎に縫いつけておき、この乳を縦竿及び縦竿の上端から張り出す横竿に挿通していた。
このような取付構造では、乳を幟旗本体に取り付ける加工が面倒であり、乳が竿に対して移動したり絡まったりし易いので、風が吹くと幟旗の表示が見えなくなるという欠点があった。
【０００３】
そこで、旗本体に着脱することができて繰り返し使用可能な止め具として、プラスチック樹脂を竿に通せるよう輪にして、その両端にそれぞれクリップ部分を設け、スプリングでクリップ部分どうしが接近するよう締め付けた幟、又は旗を竿に止める止め具が提案されている（特許文献１参照）。
ところが、この止め具は、スプリングの力で押圧されたクリップ部により材旗本体を挟持しているので、旗本体がずれたり止め具から外れる虞がある。
また、縦棒に遊嵌する環状の遊嵌部と、昇り旗を挟む部分とを一体化した昇り旗用クリップが知られている（特許文献２参照）。
しかし、このものも昇り旗がクリップから外れたりずれたりしやすく、しかも、昇り旗をクリップによって縦棒へ取り付けるには、クリップをこれとは別体の止め栓によって固定しなければならないため、着脱が面倒であり、止め栓を紛失しやすい。
【０００４】
【特許文献１】特開平１１−１１９７１５号公報
【特許文献２】実開平６−１６９８６号公報
【発明の開示】
【発明が解決しようとする課題】
【０００５】
本発明が解決しようとする課題は、旗を竿へ位置ずれしないように止め付けることができ、一部材よりなるため構造及び着脱操作が簡単で、繰り返し使用可能な旗の止め具を提供することにある。
【課題を解決するための手段】
【０００６】
本発明の旗の止め具は、軸線を含む平面で円筒体を２分割した形状の一対の半円部を設け、これら半円部の一側縁どうしを回動自在に接合し、前記各半円部の他側縁から外方へ向かってそれぞれ挟持板を延出し、前記挟持板には挟持板どうしを重合した状態で係合する着脱可能な係合具を設け、各挟持板の重合状態において合致する位置にそれぞれ透孔を形成し、一方の挟持板の外面に固定片を起倒自在に設けると共に、該固定片を前記一方の挟持板の外面に重ねた状態で係止する接離可能な係止具を設け、前記固定片の内面に、前記一方の挟持板及び他方の挟持板の透孔へ抜挿自在に挿入される先細ピンを突出してある。
【０００７】
一対の半円部を回動させて挟持板を開き、その間に旗の端部を差し込んでから、一対の半円部を逆回転させて挟持板どうしを重合すると共に係合具を係合し、固定片を倒して一方の挟持板の外面に重ねると共に係止具を係止し、先細ピンを胸部の透孔及びその間に挟まれた旗に通し、旗に止め具を確実に固定する。また、一対の半円部を閉じて形成した円筒部に竿を挿通し、竿に旗を取り付ける。
前記固定片を前記一方の挟持板の先端縁に取り付けても良い。
また、少なくともいずれかの挟持板の内面に、旗の側縁の位置を示す位置決め線を形成すると良い。
【発明の効果】
【０００８】
請求項１に係る発明によれば、止め具を介して旗を竿へ装着する際に別の固定具を必要とせず、係合具及び係止具を径脱するだけですむため、着脱が容易で部品を紛失する心配もなく、不要になった旗から外して、別の旗を止め付けるのに繰り返し使用することができる。
また、先細ピンが挟持板間に挟まれた旗を貫通するので、旗がずれたり、外れるのを防ぐことができる。
請求項２に係る発明によれば、固定片、挟持板及び半円部を連続して一体成形することができる。
請求項３に係る発明によれば、旗の正確な位置に止め具を装着して、竿に対して正しい姿勢で旗を取り付けることができる。
【発明を実施するための最良の形態】
【０００９】
以下、本発明の実施例を図面に基づいて詳細に説明する。
本発明の旗の止め具Ａは、合成樹脂を素材とし、図１及び図４に示すように、一側縁が回動自在に接合された一対の半円部１，２と、半円部１，２の他側縁からそれぞれ延出した挟持板３，４と、一方の挟持板３に設けた固定片５とを一体成形して成る。
一対の半円部１，２は、短尺の円筒体６を、その直径ａに沿い、且つ、軸線を含む平面で２分割した形状であり、半円部１，２の一側縁どうしは非常に肉厚が薄い薄肉片７によって回動自在に連結されている。
【００１０】
半円部１，２の他側縁からは、それぞれ半円部１，２と同幅の挟持板３，４が外方に向かって、且つ、直径ａに沿って延びている。
一方の挟持板３の基部寄り内面には、矩形の陥没部８が形成され、陥没部８の内周面の適所に複数の係合溝９がそれぞれ形成されている（図６）。
また、一方の挟持板３の外面において、陥没部８よりも先端寄りには矩形の凹部１０が形成され、凹部１０の内周面両側にはそれぞれ係止溝１１が形成されている（図５）。さらに、凹部１０の底面の左右両側には円形の透孔１２がそれぞれ穿設され、左右の透孔１２の間に長孔状の透孔１３が穿設されている（図５，図６）。
【００１１】
他方の挟持板４の基部寄り内面には、一方の挟持板３の陥没部８に嵌合可能な矩形突条１４が形成され、矩形突条１４の外周面には係合溝９とそれぞれ着脱自在にスナップ係合する係合突起１５が形成されている（図６）。
一方の挟持板３の係合溝９と他方の挟持板４の係合突起１５とは、挟持板３，４を重合した状態で係合する着脱自在な係合具を構成する。
また、挟持板３，４を重合した時に、透孔１３の両端部及び透孔１２と合致する位置にそれぞれ円形の透孔１６が穿設されている。
なお、陥没部８及び突条１４の先端寄り端縁は、旗Ｂの側縁の位置を合わせる位置決め線となっている。
【００１２】
固定片５は、一方の挟持板３の外面先端に、非常に肉厚が薄い薄肉片１７を介して起倒自在に連結されている（図４〜図６）。
固定片５は、一方の挟持板３の凹部１０に嵌合可能な形状・大きさであって、その両側面には係止溝１１と着脱自在にスナップ係合する係止突起１８が形成される。一方の挟持板３の係止溝１１と、固定片５の係止突起１８とは、固定片５を一方の挟持板３の外面に重ねた状態で係止する着脱自在な係止具を構成している。
また、固定片５の内面には、挟持板３，４及び固定片５を重合した状態で、透孔１２，１３，１６へ抜挿自在に挿入される４本の先細ピン１９が突出されている。
さらに、固定片５の先端には、外面側に斜めに立ち上がる指掛け片２０が一体に形成されている。
【００１３】
この旗の止め具Ａは、次のように使用される。
旗Ｂに止め具Ａを装着するには、一対の半円部１，２を、薄肉片７の中央部を中心に他側縁が開く方向に回動させて、一方の挟持板３と他方の挟持板４とを離間させ、その間に旗Ｂの側端部を差し込む。
旗Ｂの側縁を位置決め線（陥没部８及び突条１４の先端寄り端縁）に一致させて、位置合わせしてから、半円部１，２を逆回りに回動させ、一方の挟持板３と他方の挟持板４とを重合して旗Ｂの側端部を挟み、一方の挟持板３の陥没部８へ他方の挟持板４の矩形突条１４を嵌合し、係合溝９と係合突起１５とを係合する（図１〜図３）。
この結果、一対の半円部１，２が合わさって、旗Ｂの側方へ張り出す円筒体６が形成される。
【００１４】
次に、固定片５を倒して一方の挟持板３の凹部１０に嵌合し、係止溝１１と係止突起１８とを係合して、固定片５を一方の挟持板３の外面に重ねた状態で固定する。また、先細ピン１９を一方の挟持板３の透孔１２，１３及び他方の挟持板４の透孔１６へ挿入し、この先細ピン１９で挟持板３，４間に挟まれた旗Ｂを貫通する。
このようにして、図７に示すように、旗Ｂの側端部に複数の止め具Ａを、適宜間隔をあけて装着する。
なお、旗Ｂの上端部は折り返して縫着し、上縁に沿って筒部２１が形成されている。
そして、旗Ｂの上縁に形成した筒部２１へ横竿を挿通すると共に、旗Ｂの側縁に装着された止め具の円筒体６に縦竿を挿通し、旗Ｂを竿へ取り付ける。
【００１５】
旗Ｂから止め具Ａを外す際は、指掛け片２０に指をかけて固定片５を引き起こし、係合溝９と係合突起１５の係合を解除して一方の挟持板３と他方の挟持板４とを離間させれば、簡単に旗Ｂを止め具から引き出すことができる。
もちろん、旗Ｂの上縁に止め具Ａを装着しても良いし、この止め具Ａによって幟旗以外の旗を竿へ取り付けることもできる。
【図面の簡単な説明】
【００１６】
【図１】本発明の実施例を示す旗の止め具の平断面図。
【図２】同上の一側から見た側面図。
【図３】同上の他側から見た側面図。
【図４】同上の展開時の平面図。
【図５】同上の展開時の一側から見た側面図。
【図６】同上の展開時の他側から見た側面図。
【図７】止め具を装着した旗の正面図。
【符号の説明】
【００１７】
Ａ  止め具
Ｂ  旗
１  半円部
２  半円部
３  一方の挟持板
４  他方の挟持板
５  固定片
６  円筒体
７  薄肉片
８  陥没部
９  係合溝
１０  凹部
１１  係止溝
１２  透孔
１３  透孔
１４  矩形突条
１５  係合突起
１６  透孔
１７  薄肉片
１８  係止突起
１９  先細ピン
２０  指掛け片
２１  筒部
【図１】
2005077854.tif 000003
【図２】
2005077854.tif 000004
【図３】
2005077854.tif 000005
【図４】
2005077854.tif 000006
【図５】
2005077854.tif 000007
【図６】
2005077854.tif 000008
【図７】
2005077854.tif 000009